(57)【要約】  家具本体（２）に対して相対的に可動に支持される家具部分（３）を可動に支持するための家具用金具（４）であって、家具用金具（４）は、好適には実質的に水平方向に配向される、家具本体（２）の家具プレート（２ｂ）に固定されるように構成されている第１の金具部分（５）と、可動に支持される家具部分（３）に固定するための第２の金具部分（６）であって旋回可能に第１の金具部分（５）に結合されている第２の金具部分（６）と、を有し、第１の金具部分（５）は、少なくとも１つの固定装置（１６）を備えた組付け部分（８）を有し、固定装置（１６）により、組付け部分（８）が家具プレート（２ｂ）に組み付け可能であり、第１の金具部分（５）は、第２の金具部分（６）に枢着結合される少なくとも１つの連結部分（９）を有し、連結部分（９）は、着脱可能に組付け部分（８）に結合可能であり、第１の金具部分（５）の組付け部分（８）は、好適にはポケット状のハウジング（８ａ）を有し、連結部分（９）は、組付け部分（８）との結合状態において大部分が、組付け部分（８）のハウジング（８ａ）内に収容されており、連結部分（９）が、少なくとも１つのロック装置（２０）により、組付け部分（８）に着脱可能に結合可能であり、少なくとも１つのロック装置（２０）は、連結部分（９）を着脱可能にロックするために、可動に支持されておりかつ少なくとも１つの蓄力器（２１ａ、２１ｂ）によって付勢される少なくとも１つのロック要素（２５ａ、２５ｂ）を有する。
2021529274.tif 000002
【特許請求の範囲】
【請求項１】
家具本体（２）に対して相対的に可動に支持される家具部分（３）を可動に支持するための家具用金具（４）であって、前記家具用金具（４）は、
・好適には実質的に水平方向に配向される、前記家具本体（２）の家具プレート（２ｂ）に固定されるように構成されている第１の金具部分（５）と、
・可動に支持される前記家具部分（３）に固定するための第２の金具部分（６）であって、旋回可能に前記第１の金具部分（５）に結合されている第２の金具部分（６）と、を有し、
・前記第１の金具部分（５）は、少なくとも１つの固定装置（１６）を備えた組付け部分（８）を有し、前記固定装置（１６）により、前記組付け部分（８）が前記家具プレート（２ｂ）に組み付け可能であり、前記第１の金具部分（５）は、前記第２の金具部分（６）に枢着結合される少なくとも１つの連結部分（９）を有し、前記連結部分（９）は、着脱可能に前記組付け部分（８）に結合可能であり、
・前記第１の金具部分（５）の前記組付け部分（８）は、好適にはポケット状の、ハウジング（８ａ）を有し、前記連結部分（９）は、前記組付け部分（８）との結合状態において大部分が、前記組付け部分（８）の前記ハウジング（８ａ）内に収容されている、家具用金具（４）において、
前記連結部分（９）は、少なくとも１つのロック装置（２０）により、前記組付け部分（８）に着脱可能に結合可能であり、少なくとも１つの前記ロック装置（２０）は、前記連結部分（９）を着脱可能にロックするために、可動に支持されておりかつ少なくとも１つの蓄力器（２１ａ、２１ｂ）によって付勢される少なくとも１つのロック要素（２５ａ、２５ｂ）を有することを特徴とする、家具用金具（４）。
【請求項２】
前記第１の金具部分（５）の前記組付け部分（８）は、前記家具プレート（２ｂ）の切欠き（１５ａ）に挿入可能であることを特徴とする、請求項１記載の家具用金具。
【請求項３】
前記組付け部分（８）と前記連結部分（９）との間でセンタリングを行うセンタリング装置（１８）が設けられており、前記センタリング装置（１８）は、前記組付け部分（８）および／または前記連結部分（９）に配置されるかまたは構成された、前記連結部分（９）をガイドするための少なくとも１つの斜面（１８ａ、１８ｂ）を有することを特徴とする、請求項１または２記載の家具用金具。
【請求項４】
前記家具用金具（４）は、前記組付け部分（８）と前記連結部分（９）との間の結合を解除するためのロック解除装置（１９）を有することを特徴とする、請求項１から３までのいずれか１項記載の家具用金具。
【請求項５】
前記ロック解除装置（１９）は、可動に支持される解除要素（１９ａ）を有し、前記解除要素（１９ａ）に力を作用させることにより、前記組付け部分（８）と前記連結部分（９）との間のロックが解除可能であることを特徴とする、請求項４記載の家具用金具。
【請求項６】
前記解除要素（１９ａ）は、直線的に移動可能に支持されていることを特徴とする、請求項５記載の家具用金具。
【請求項７】
前記家具用金具（４）は、可動の前記家具部分（３）を動かすための、旋回可能に支持されている少なくとも１つのジョイントレバー（７）を有することを特徴とする、請求項１から６までのいずれか１項記載の家具用金具。
【請求項８】
前記家具用金具（４）は、少なくとも１つの前記ジョイントレバー（７）に力を付勢するばね装置（１０）を有することを特徴とする、請求項７記載の家具用金具。
【請求項９】
前記ばね装置（１０）によって付勢される押圧ローラ（１２）が設けられており、前記押圧ローラ（１２）は、前記ジョイントレバー（７）の移動の際に、好適には前記ジョイントレバー（７）に配置された、調整輪郭部（２４）に沿って移動可能であることを特徴とする、請求項８記載の家具用金具。
【請求項１０】
前記家具用金具（４）は、前記第１の金具部分（５）と前記第２の金具部分（６）との間の相対運動を緩衝するための少なくとも１つの緩衝装置（１１）、好適にはピストン・シリンダユニットを有することを特徴とする、請求項１から９までのいずれか１項記載の家具用金具。
【請求項１１】
前記ジョイントレバー（７）は、第１のレバー端部および第２のレバー端部を備えたダブルアームレバーとして構成されており、前記ジョイントレバー（７）の前記第１のレバー端部は、前記第２の金具部分（６）に枢着結合されており、前記緩衝装置（１１）は、前記ジョイントレバー（７）の前記第２のレバー端部を介して押圧可能となっていることを特徴とする、請求項１０記載の家具用金具。
【請求項１２】
前記家具用金具（４）は、家具ヒンジとして構成されていることを特徴とする、請求項１から１１までのいずれか１項記載の家具用金具。
【請求項１３】
家具本体（２）と、前記家具本体（２）に対して相対的に可動に支持される家具部分（３）と、請求項１から１２までのいずれか１項記載の家具用金具（４）とを有する家具（１）であって、前記家具用金具（４）により、前記家具部分（３）が、好適には組付け状態において実質的に垂直方向に延在する軸線（１４）の周りに、前記家具本体（２）に対して相対的に旋回可能に支持されている、家具（１）。
【請求項１４】
前記家具本体（２）は、好適には実質的に水平方向に配向されている、家具プレート（２ｂ）、好適には底部プレート、天井プレート、前記底部プレートと前記天井プレートとの間に配置される仕切り板、または側壁（２ａ）を有し、前記組付け部分（８）は、前記家具プレート（２ｂ）に支持されており、好適には、前記組付け部分（８）は、前記組付け状態において大部分が、前記家具プレート（２ｂ）の切欠き（１５ａ）内に収容されるように構成されていることを特徴とする、請求項１３記載の家具。
【発明の詳細な説明】
【技術分野】
【０００１】
本発明は、家具本体に対して相対的に可動に支持される家具部分を可動に支持するための家具用金具に関し、この家具用金具は、
・好適には実質的に水平方向に配向される、家具本体の家具プレートに固定されるように構成されている第１の金具部分と、
・可動に支持される家具部分に固定するための第２の金具部分であって、旋回可能に第１の金具部分に結合されている第２の金具部分と、を有し、
・第１の金具部分は、少なくとも１つの固定装置を備えた組付け部分を有し、この固定装置により、組付け部分は、家具プレートに組み付け可能であり、第１の金具部分は、第２の金具部分に枢着結合される少なくとも１つの連結部分を有し、この連結部分は、着脱可能に組付け部分に結合可能であり、
・第１の金具部分の組付け部分は、好適にはポケット状のハウジングを有し、連結部分は、組付け部分との結合状態において大部分が、組付け部分のハウジング内に収容されている。
【０００２】
本発明はさらに、家具本体と可動の家具部分とを有する家具に関し、この家具部分は、ここで説明される形式の少なくとも１つの家具用金具によって家具本体に対して相対的に旋回可能に支持されている。
【０００３】
国際公開第２の０１６／１７４０７１号には図９に、ドアを旋回可能に支持する家具ヒンジが示されており、家具ヒンジの第１の金具部分は、家具本体の家具プレートの、長孔形状の切欠きに埋め込まれている。家具ヒンジの第２の金具部分も同様に、可動の家具部分の長孔形状の切欠きに収容されている。
【０００４】
欧州特許出願公開第０８８１３４８号明細書には、ヒンジ金具が示されており、このヒンジ金具は、ドアに固定するためのドア側の当接部分と、この当接部分に枢着結合されておりかつ家具本体に固定するための本体側の当接部分とを有する。ドア側の当接部分は、家具本体に固定される支持部分を有し、この支持部分は、ねじ止めによってヒンジ金具の連結部分に着脱可能に結合可能である。
【０００５】
国際公開第２の０１６／０９０３９１号には、本体側の当接部分を有する家具ヒンジが示されており、この当接部分は、ばね付勢されるラッチレバーにより、家具本体に事前に組み付けられた（しかしながら図示されていない）組付けプレートに着脱可能に係止可能である。
【０００６】
可動の家具部分を家具本体に組み付ける際には、家具用金具は一般にまず、可動の家具部分に事前に組み付けられ、引き続いて、可動の家具部分と、これに事前に組み付けられた家具用金具とが家具本体に近づけられ、設けられている家具プレートの切欠きへの第１の金具部分の挿入が試みられる。この点において、組み付けの際にさまざまな困難が発生する。というのは、可動の家具部分は、実施に応じてかなりの重量を有し得るからであり、かつ家具プレートの切欠きは、第１の金具部分の形状および大きさに正確に調整されていなければならないからである。すなわち、家具プレートの切欠きへの第１の金具部分の挿入には、時間的なコストと、骨の折れる手動の作業プロセスとが大いに結び付いている。
【０００７】
特開２００８−２５２７０号公報には、第１の組付けステップにおいて家具部分に固定されるヒンジハウジングを備えた家具ヒンジが示されている。後続の組付けステップでは、調整ブロックが、事前に組み付けられたヒンジハウジングの中空室に挿入され、ねじ止めによってヒンジハウジングに結合される。
【０００８】
本発明の課題は、上で論じた欠点を回避して、冒頭に述べた形式の家具用金具を提供することである。
【０００９】
この課題は、本発明により、請求項１の特徴的構成によって解決される。本発明の別の有利な実施形態は、従属請求項に示されている。
【００１０】
本発明によれば、連結部分は、少なくとも１つのロック装置により、組付け部分に着脱可能に結合可能であり、少なくとも１つのロック装置は、連結部分を着脱可能にロックするために、可動に支持されておりかつ少なくとも１つの蓄力器によって付勢される少なくとも１つのロック要素を有するように構成される。
【００１１】
ロック装置の特徴的構成は、特開２００８−２５２７０号公報によって想到可能な手段でもない。というのは、当業者にとっては、家具部分に埋め込まれるヒンジハウジングにおいて、連結部分との着脱可能なロックのためのロック要素をどこに配置しなければならないかがまったく不明であるからである。
【００１２】
家具用金具の本体側の第１の金具部分は、少なくとも２つの部分で構成されておりかつ組付け部分を有し、この組付け部分は、第１の組付けステップにおいて、少なくとも１つの固定装置により、好適には実質的に水平方向に延在する、家具本体の家具プレートに、またはこの家具プレート内に固定可能である。さらに、第２の金具部分に枢着結合される連結部分が設けられており、この連結部分は、第２の組付けステップにおいて、（組付け部分とは独立してかつ別個に）可動の家具部分に固定可能である。組付け部分および連結部分を事前に組み付けた後、これらは、第３の組付けステップにおいて、ロック装置によって互いに着脱可能に結合することができ、すなわち自動で互いにロックされる。
【００１３】
本発明によれば、第１の金具部分の組付け部分は、家具プレートの切欠きに挿入可能であり、これにより、この組付け部分が、家具プレートに組み付けられた状態において、大部分が、好適には実質的に完全に家具プレートの切欠き内に収容されるように構成される。これにより、コンパクトかつ視覚的に目立たない、家具本体における組付け部分の配置が行われる。
【００１４】
本発明による家具は、この家具が、好適には実質的に水平方向に配向されている家具プレート（例えば底部プレート、天井プレート、底部プレートと天井プレートとの間に配置される仕切りプレート）、または垂直方向に延在する側壁を備えた家具本体を有することによって特徴づけられており、組付け部分は、家具プレートに支持されており、好適には、組付け部分は、組付け状態において大部分が、家具プレートの切欠き内に収容されているように構成されている。
【００１５】
家具本体の家具プレートは、一般に、あらかじめ設定された材料厚さ（例えば１６ｍｍまたは１９ｍｍ）を有する。第１の金具部分の組付け部分は、好ましい一実施形態において、あらかじめ定められた家具プレートの材料厚さ内に収容可能である。この組付け部分は、高さ方向延在長さおよび長手方向延在長さを有することができ、組付け部分の長手方向延在長さは、組付け部分の高さ方向延在長さの少なくとも３倍、好適には少なくとも６倍大きい。
【００１６】
家具用金具は、例えば、家具ヒンジとして構成されていてよい。しかしながら、家具本体における組付け状態において、水平方向に延在する軸線の周りに旋回可能に支持されている家具フラップ用の家具駆動部として家具用金具を構成することも可能である。
【００１７】
図面に示した実施例に基づき、本発明のさらなる詳細および利点を説明する。
【図面の簡単な説明】
【００１８】
【図１】図１ａおよび図１ｂは、家具および（組付け部分を有しない）家具用金具を示す斜視図である。
【図２】図２ａ〜図２ｃは、家具本体における可動の家具部分の組み付けを示す概略平面図である。
【図３】図３ａ〜図３ｃは、組付け部分における連結部分の組み付けの時間的な順序を種々異なる断面図で示す図である。
【図４】図４ａおよび図４ｂは、組付け部分における連結部分の組み付けの、図３に続く時間的な順序を種々異なる断面図で示す図である。
【００１９】
図１ａには、部分的にのみ示された家具本体２を有する家具１の斜視図が示されており、ここでは、好適にはドアまたは家具フラップの形態の可動の家具部分３が、家具用金具４により、家具本体２に対して相対的に、好適には組付け状態において垂直方向に延在する軸線１４の周りに旋回可能に支持されている。家具本体２は、垂直方向に延在する側壁２ａと、水平方向に延在する家具プレート２ｂ（好適には天井プレート、底部プレート、または天井プレートと底部プレートとの間に配置される仕切りプレート）とを有し、家具用金具４の第１の金具部分５は、家具プレート２ｂに、または家具プレート２ｂ内に支持されている。当然のことながら、垂直方向に延在する側壁２ａに家具用金具４を固定して、これにより、可動の家具部分３が、組付け状態において、家具本体２に対して相対的に、水平方向に延在する軸線１４の周りに旋回可能に支持されることも可能である。
【００２０】
図示された実施例では、第１の金具部分５が、家具プレート２ｂの第１の切欠き１５ａ（図２ａ）内に実質的に完全に収容されるのに対し、家具用金具４の第２の金具部分６は、可動の家具部分３の第２の切欠き１５ｂ（図２ｂ）内に実質的に完全に収容されるように構成されている。
【００２１】
図１ｂには、（組付け部分８を有しない）家具用金具４が斜視図で示されている。第１の金具部分５は、少なくとも２つの部分から構成されておりかつ家具プレート２ｂに、または家具プレート２ｂ内に事前に組み付け可能な組付け部分８（図３ａ）を有し、組付け部分８は、連結部分９を少なくとも部分的に収容するために、好適にはポケット状に構成されたハウジング８ａを備えており、組付け部分８と連結部分９とは着脱可能に互いに結合可能である。組付け部分８は、第１の組付けステップにおいて、家具プレート２ｂに、または家具プレート２ｂ内に組み付けられる。連結部分９は、少なくとも１つのジョイントレバー７を介して第２の金具部分６に旋回可能に結合されており、第２の金具部分６は、第２の組付けステップにおいて、好適には長手方向に延在するハウジング６ａを介して、可動の家具部分３に固定可能である。組付け部分８を家具プレート２ｂに、かつ第２の金具部分６を可動の家具部分３に固定した後、組付け部分８と連結部分９とは合体させることによって互いに結合可能である。組付け部分８と連結部分９とは、少なくとも１つのロック装置２０（図３ａ）により、自動的に互いにロック可能である。
【００２２】
少なくとも１つの調整装置１３ａ、１３ｂ、１３ｃにより、組付け部分８と連結部分９との結合状態において、組付け部分８に対して相対的に、好適には３次元的に、連結部分９の位置を調整可能である。ばね装置１０の力により、第１の金具部分５に対して相対的に、完全に閉鎖された終端位置および／または完全に開放された終端位置に第２の金具部分６を動かすことができる。
【００２３】
これは、例えば、ばね装置１０によって付勢される押圧ローラ１２を介して行うことができ、押圧ローラ１２は、ジョイントレバー７が移動する際に調整輪郭部２４（図３ａ）に沿って移動可能に支持されている。好適には液圧式ピストン・シリンダユニットを備えた緩衝装置１１により、第１の金具部分５に対して相対的に、第２の金具部分６の運動を減速若しくは緩衝可能である。これにより、完全に閉鎖された終端位置および／または完全に開放された終端位置への第２の金具部分６の移動を制動可能である。
【００２４】
図２ａ〜図２ｃには、家具本体２の家具プレート２ｂにおける可動の家具部分３の組み付けが概略平面図で示されている。家具プレート２ｂには、家具用金具４の第１の金具部分５を収容する第１の切欠き１５ａが形成されているのに対し、可動の家具部分３には、家具用金具４の第２の金具部分６を収容する第２の切欠き１５ｂが配置されている。第１の金具部分５は、少なくとも２つの部分から構成されており、第１の切欠き１５ａに配置される組付け部分８と、組付け部分８に結合される連結部分９とを有する。第１の金具部分５と、第２の金具部分６とは、少なくとも１つのジョイントレバー７によって互いに旋回可能に接続されている。
【００２５】
第１の組付けステップ（図２ｂ）では、組付け部分８が、家具プレート２ｂの第１の切欠き１５ａに固定されるのに対し、第２の金具部分６は、可動の家具部分３に固定される。好適には、第２の金具部分６の長手方向に延在するハウジング６ａは、可動の家具部分３の第２の切欠き１５ｂに実質的に完全に埋め込み可能であるように構成されている。第３の組付けステップ（図２ｃ）では、組付け部分８と連結部分９とが互いに結合され、これにより、可動の家具部分３が家具本体２に取り付け可能になる。
【００２６】
図３ａ〜図３ｃには、組付け部分８における連結部分９の組み付けが種々異なる組付けステップで示されている。連結部分９は、少なくとも１つのジョイントレバー７を介して第２の金具部分６に結合されており、ジョイントレバー７は、第１のジョイント軸１７ａの周りで旋回可能に連結部分９に支持されており、かつ第２のジョイント軸１７ｂの周りで旋回可能に第２の金具部分６に支持されている。ジョイントレバー７には調整輪郭部２４が配置されており、第１のジョイント軸１７ａの周りでジョイントレバー７が移動する際には、ばね装置１０によって付勢される押圧ローラ１２が、調整輪郭部２４に沿って移動可能である。ジョイントレバー７は、第１のレバー端部および第２のレバー端部を備えたダブルアームのレバーとして構成されており、ジョイントレバー７の第１のレバー端部は、第２のジョイント軸１７ｂを介して第２の金具部分６に枢着結合されている。緩衝装置１１は、ジョイントレバー７の第２のレバー端部を介して押圧可能となっており、ジョイントレバー７の第２のレバー端部は、緩衝行程を実行するために、直接に、または少なくとも１つの別の構成部材（例えば中間レバー）を介して緩衝装置１１に押圧作用を及ぼす。第１の組付けステップでは、組付け部分８が、少なくとも１つの固定装置１６（固定装置１６は、例えば、ねじを収容する孔として構成されている）により、家具プレート２ｂに、または家具プレート２ｂ内に組み付けられる。
【００２７】
組付け部分８は、ねじを収容する孔として構成されている２つ以上の固定装置１６を有することも可能である。固定装置１６が、可動に支持されている固定要素を有することも可能であり、ここではこの固定要素を操作することにより、少なくとも１つのロック部分が可動であり、このロック部分により、組付け部分８は、家具プレート２ｂに、または家具プレート２ｂ内に力結合（摩擦結合）により固定可能である。
【００２８】
後続の組付けステップでは、組付け部分８のポケット状のハウジング８ａに連結部分９を斜めに挿入する。さらに、組付け部分８と連結部分９との間でセンタリングを行うセンタリング装置１８が設けられており、センタリング装置１８は、組付け部分８および／または連結部分９に配置されるかまたは構成されかつ連結部分９をガイドする少なくとも１つの斜面１８ａ、１８ｂを有する。
【００２９】
連結部分９と組付け部分８との間の着脱可能なロックのために、少なくとも１つのロック装置２０が設けられている。ロック装置２０は、可動に支持されておりかつ（好適には圧縮ばねとして構成されている）蓄力器２１ａによって付勢可能な、連結部分９を着脱可能にロックするための少なくとも１つのロック要素２５ａを有する。ロック要素２５ａには、連結部分９の係止部分２３ａを収容する切欠き２２ａが備え付けられている。図示された実施例では、第２の蓄力器２１ｂが設けられており、第２の蓄力器２１ｂは、組付け部分８の第２の切欠き２２ｂの方向に、第２の係止部分２３ｂを備えた第２のロック要素２５ｂを押圧する。図３ｂおよび図３ｃから明らかなように、連結部分９は、側方から旋回して組付け部分８に挿入され、連結部分９は、センタリング装置１８の斜面１８ａ、１８ｂにより、組付け部分８に対して相対的にガイド可能である。
【００３０】
図４ａには、図３ｃに続く、組付け部分８に対して相対的な連結部分９の旋回移動が示されている。ロック要素２５ａは、係止部分２３ａと、ロック要素２５ａの斜面との協働により、蓄力器２１ａの力に抗して矢印２６の方向に押圧され、これにより、係止部分２３ａは、ロック要素２５ａの切欠き２２ａに入ることができ、第２の係止部分２３ｂは、第２の蓄力器２１ｂの力により、組付け部分８の切欠き２２ｂに押圧されて入る。
【００３１】
図４ｂには、組付け部分８と連結部分９との間のロック位置が示されている。ロック解除装置１９により、組付け部分８と連結部分９との間のロックを元のように解除可能である。ロック解除装置１９は、可動に支持される、好適には直線的に移動可能な解除要素１９ａを有し、Ｘ方向に解除要素１９ａに力を作用させることにより、組付け部分８と連結部分９との間のロックが解除可能である。家具用金具４の組付け状態において解除要素１９ａには、工具を用いた操作により、直接にアクセス可能である。
【００３２】
図示された実施例において、ロック解除装置１９は、軸２７の周りに旋回可能に支持されているダブルアームのロック解除レバー３０を有する。ダブルアームのロック解除レバー３０の２つのレバー端部には、長孔２９ａおよび長孔２９ｂが設けられており、これらは、ピン２８ａ、２８ｂを収容するために設けられている。第１のピン２８ａは、ロック要素２５ａに配置されているのに対し、第２のピン２８ｂは、解除要素１９ａに結合されている。解除要素１９ａが、工具、好適にはねじ回しによって矢印Ｘの方向に押し込まれると、ロック要素２５ａは、ロック解除レバー３０により、蓄力器２１ａの力に抗し、組付け部分８と連結部分９との間のロックが解除可能な解除位置に移動させられる。
【図１ａ】
2021529274.tif 000003
【図１ｂ】
2021529274.tif 000004
【図２ａ】
2021529274.tif 000005
【図２ｂ】
2021529274.tif 000006
【図２ｃ】
2021529274.tif 000007
【図３ａ】
2021529274.tif 000008
【図３ｂ】
2021529274.tif 000009
【図３ｃ】
2021529274.tif 000010
【図４ａ】
2021529274.tif 000011
【図４ｂ】
2021529274.tif 000012
【国際調査報告】
2021529274.tif 000013
2021529274.tif 000014
2021529274.tif 000015
2021529274.tif 000016
2021529274.tif 000017